(57)【要約】コネクタ自体の構成を複雑化させることなく、金属板等のクロストーク防止部材を簡単にグランド接続することができる電気コネクタであって、ハウジング（１００）の挿入孔（１２０）の両側に配列されたコンタクト群（２００ａ、２００ｂ）と、挿入孔（１２０）に挿入され、コンタクト群（２００ａ、２００ｂ）の間に配置される多層基板（３００）とを備え、コンタクト群（２００ａ、２００ｂ）はグランド用コンタクト（２２０ａ、２２０ｂ）を有し、多層基板（３００）は、内部に設けられたベタ導体層（３１０）と、面上に設けられたグランド用導体（３２２、３３２）と、ベタ導体層（３１０）とグランド用導体（３２２、３３２）とを接続するスルーホール（３４０）とを有し、多層基板（３００）が挿入孔（１２０）に挿入された状態で、グランド用導体（３２２、３３２）がグランド用コンタクト（２２０ａ、２２０ｂ）に接触する。
2009147791.tif 000002
【特許請求の範囲】
【請求項１】
挿入孔を有するハウジングと、
このハウジングの挿入孔の両側に配列された第１、第２のコンタクト群と、
ハウジングの挿入孔に挿入され、第１のコンタクト群と第２のコンタクト群との間に配置される導電部材とを備えており、
前記第１及び第２のコンタクト群の少なくとも一方がグランド用コンタクトを有しており、
前記導電部材は、前記ハウジングの挿入孔に挿入された状態で、前記グランド用コンタクトに接触するようになっていることを特徴とする電気コネクタ。
【請求項２】
請求項１記載の電気コネクタにおいて、
前記導電部材は、前記グランド用コンタクトに接触する突起状の接地部を有することを特徴とする電気コネクタ。
【請求項３】
請求項２記載の電気コネクタにおいて、
前記導電部材が金属板であり、
前記接地部は前記導電部材の一部がカットされ折り曲げられた切り上げ片であることを特徴とする電気コネクタ。
【請求項４】
請求項２記載の電気コネクタにおいて、
前記導電部材は板状の非導電材の外周面が金属体で被覆されたものであり、
前記接地部は前記非導電材に設けられた突起が金属体で被覆されたものであることを特徴とする電気コネクタ。
【請求項５】
請求項２記載の電気コネクタにおいて、
前記ハウジングの挿入孔の内面及び前記導電部材の少なくとも一方には、前記ハウジングの挿入孔に挿入された前記導電部材を係止する第１の係止手段が設けられていることを特徴とする電気コネクタ。
【請求項６】
請求項１記載の電気コネクタにおいて、
前記導電部材は、前記第１のコンタクト群の信号用コンタクトの中間部と前記第２のコンタクト群の信号用コンタクトの中間部との間に配置される先端側の第１のクロストーク低減部と、
前記第１のコンタクト群の信号用コンタクトの後端部と前記第２のコンタクト群の信号用コンタクトの後端部との間に配置される後端側の第２のクロストーク低減部とを有することを特徴とする電気コネクタ。
【請求項７】
複数のリードが接続可能な請求項６記載の電気コネクタにおいて、
前記ハウジングの後端部に設けられるリード結線補助部材を更に備えており、
前記第１、第２のコンタクト群の信号用コンタクトは、前記中間部が前記ハウジングの挿入孔の両側に配置され、前記後端部が前記ハウジングの後面から突出しており、
前記リード結線補助部材は、前記第１、第２のコンタクト群の信号用コンタクトの後端部と前記リードの先端部から取り出された芯線とを各々半田付けのために支持する第１、第２の支持台と、
この第１、第２の支持台の後端側に前記第１、第２のコンタクト群の信号用コンタクトと同一ピッチ間隔で形成され且つ前記リードの先端部を各々挿入して仮止めする複数の第１、第２のリード挿入溝とを有した構成となっており、
前記第１のクロストーク低減部が前記ハウジングの挿入孔に挿入され、前記第２のクロストーク低減部が前記リード結線補助部材の前記第１の支持台及び第１のリード挿入溝の部分と該リード結線補助部材の前記第２の支持台及び第２のリード挿入溝の部分との間に配設されるようになっていることを特徴とする電気コネクタ。
【請求項８】
請求項６記載の電気コネクタにおいて、
前記ハウジングの後端部の幅方向の両端にはリード結線補助部材を長さ方向に移動自在に案内する一対のガイド手段が設けられていることを特徴とする電気コネクタ。
【請求項９】
請求項８記載の電気コネクタにおいて、
前記ガイド手段及びリード結線補助部材の少なくとも一方には、前記リード結線補助部材がガイド手段に案内され、前記ハウジングの後端部に取り付けられた状態で、当該リード結線補助部材を係止する第２の係止手段が設けられていることを特徴とする電気コネクタ。  
【請求項１０】
請求項６記載の電気コネクタにおいて、
前記リード結線補助部材の第１、第２の支持台上には、前記第１、第２のコンタクト群の信号用コンタクトの後端部を各々案内する複数の第１、第２のガイド溝が前記第１、第２のリード挿入溝と連通するように設けられていることを特徴とする電気コネクタ。
【請求項１１】
請求項６記載の電気コネクタにおいて、
第１、第２のリード挿入溝は前記リードの先端部を圧入して保持可能なように当該リードの先端部より若干小さい幅寸法を有していることを特徴とする電気コネクタ。
【請求項１２】
請求項６記載の電気コネクタにおいて、
第１、第２のリード挿入溝はその開放両端部に内側に向けて当該リードの先端部の抜け止めを防止するための返りが形成されていることを特徴とする電気コネクタ。
【請求項１３】
請求項１記載の電気コネクタにおいて、
前記ハウジングの外周側面を覆うシールドカバーと、
前記電気コネクタの基端部の全体を保護するケースとを備えることを特徴とする電気コネクタ。
【請求項１４】
請求項１記載の電気コネクタにおいて、
前記導電部材の代わりに、前記ハウジングの挿入孔に挿入され、第１のコンタクト群と第２のコンタクト群との間に配置される多層基板を更に備えており、
前記多層基板は、該多層基板の内部に設けられたベタ導体層と、
該多層基板の両面のうちの少なくとも一方の面上に設けられたグランド用導体と、
前記ベタ導体層と前記グランド用導体とを接続するビアホールとを有し、
前記多層基板が前記挿入孔に挿入された状態で、前記多層基板の前記グランド用導体が前記グランド用コンタクトに接触するようになっていることを特徴とする電気コネクタ。
【請求項１５】
請求項１４記載の電気コネクタにおいて、
前記グランド用コンタクトの後端部が前記多層基板の前記グランド用導体に接触し、半田接続されることを特徴とする電気コネクタ。
【請求項１６】
請求項１５記載の電気コネクタにおいて、
前記多層基板は、該多層基板の両面のうちの少なくとも一方の面上に設けられた信号用導体を更に有しており、
前記第１、第２のコンタクト群の信号用コンタクトの後端部が前記多層基板の前記信号用導体に接触し、半田接続されることを特徴とする電気コネクタ。
【請求項１７】
請求項１５又は１６記載の電気コネクタにおいて、
前記ベタ導体層は、前記第１のコンタクト群の信号用コンタクトの中間部と前記第２のコンタクト群の信号用コンタクトの中間部との間に配置される先端側の第１のクロストーク低減部と、
前記第１のコンタクト群の信号用コンタクトの後端部と前記第２のコンタクト群の信号用コンタクトの後端部との間に配置される後端側の第２のクロストーク低減部とを有することを特徴とする電気コネクタ。
【請求項１８】
複数のリードが接続可能な請求項１６記載の電気コネクタにおいて、
少なくとも前記信号用導体に前記リードの先端部から取り出された芯線が各々半田付け可能となっていることを特徴とする電気コネクタ。
【請求項１９】
請求項１８記載の電気コネクタにおいて、
前記信号用コンタクトの後端部、前記グランド用コンタクトの後端部、前記信号用導体に前記芯線が半田付けされたリードの先端部及び前記多層基板の先端部以外の部分が埋設される絶縁樹脂製のブロックを更に備えていることを特徴とする電気コネクタ。
【請求項２０】
複数のリードが接続可能な請求項１５記載の電気コネクタにおいて、
少なくとも前記信号用コンタクトの後端部に前記リードの先端部から取り出された芯線が各々半田付け可能となっていることを特徴とする電気コネクタ。
【請求項２１】
請求項２０記載の電気コネクタにおいて、
前記信号用コンタクトの後端部、前記グランド用コンタクトの後端部、該信号用コンタクトの後端部に前記芯線が半田付けされたリードの先端部及び前記多層基板の先端部以外の部分が埋設される絶縁樹脂製のブロックを更に備えていることを特徴とする電気コネクタ。
【発明の詳細な説明】
【技術分野】
【０００１】
本発明は複数の第１、第２のコンタクトを備えた電気コネクタに関する。
【背景技術】
【０００２】
この種の電気コネクタは、ハウジングの厚み方向の両側に配設された複数の第１、第２のコンタクトの間に金属板を配置し、当該金属板をグランド接続することにより、第１のコンタクトと第２のコンタクトとの間のクロストークの発生の低減を図ったものがある（例えば、特許文献１）。
【特許文献１】特開２００５−３２７７０１号公報
【発明の開示】
【発明が解決しようとする課題】
【０００３】
ところが、前記電気コネクタは、金属板の一部がハウジングの側面に沿って露出して当該ハウジングの外周を覆う金属シェルに接触し、この金属シェルが当該電気コネクタに接続されるケーブルのグランド導体に又は電気コネクタが実装されるプリント基板のグランド回路に接続されるようになっている。【０００４】
即ち、前記電気コネクタは、金属板の一部をハウジングの外側に導出させることが不可欠な構成となっているため、ハウジングを２ピース構造にしたり、ハウジングに導出穴を設けたりする必要がある。このため、電気コネクタの構成が複雑化するというデメリットを有している。【０００５】
本発明は上記した背景の下で創作されたものであって、その目的とするところは、コネクタ自体の構成を複雑化させることなく、金属板等のクロストーク防止部材を簡単にグランド接続することができる新規な電気コネクタを提供することにある。
【課題を解決するための手段】
【０００６】
本発明に係る電気コネクタは、挿入孔を有するハウジングと、このハウジングの挿入孔の両側に配列された第１、第２のコンタクト群と、ハウジングの挿入孔に挿入され、第１のコンタクト群と第２のコンタクト群との間に配置される導電部材とを備えており、前記第１及び第２のコンタクト群の少なくとも一方はグランド用コンタクトを有しており、前記導電部材は、前記ハウジングの挿入孔に挿入された状態で、前記グランド用コンタクトに接触するようになっている。【０００７】
このような電気コネクタによる場合、前記導電部材が前記ハウジングの挿入孔に挿入され、前記第１及び第２のコンタクト群の少なくとも一方のグランド用コンタクトに接触するだけで、前記導電部材がグランド接続される。よって、当該導電部材をグランド接続するために、従来例の如くハウジングを２ピース構造にしたり、ハウジングに導出穴を設けたりする必要がないので、前記電気コネクタの構成の簡単化を図ることができる。しかも、グランド用コンタクトの位置及び数を可変することにより、当該電気コネクタにとって最適なグランド接続することが可能になる。また、前記導電部材が第１のコンタクト群と第２のコンタクト群との間に配置され且つグランド用コンタクトに接触することにより、第１のコンタクト群の信号用コンタクトと第２のコンタクト群の信号用コンタクトとの間のクロストークの発生を低減することが可能になる。また、第１及び第２のコンタクト群のうちの少なくとも一方のコンタクト群の信号用コンタクトの間にグランド用コンタクトが配置されているので、前記コンタクト群の信号用コンタクトの間のクロストークの発生を低減することも可能になる。【０００８】
前記導電部材は、前記グランド用コンタクトに接触する突起状の接地部を有することが好ましい。この場合、前記導電部材が前記ハウジングの挿入孔に挿入された状態で、前記接地部が前記グランド用コンタクトに接触するので、第１のコンタクト群の信号用コンタクトと第２のコンタクト群の信号用コンタクトとの間のクロストークの発生を低減するという導電部材としての機能を保ちつつ、当該導電部材をグランド用コンタクトに簡単に接触させることができる。【０００９】
前記導電部材が金属板である場合、前記接地部は前記導電部材の一部がカットされ折り曲げられた切り上げ片とすることができる。この場合、プレス成型等により、金属板の一部をカットし切り上げるだけで当該導電部材及び接地部を簡単に作成することができる。【００１０】
前記導電部材が板状の非導電材の外周面が金属体で被覆されたものである場合、前記接地部は前記非導電材に設けられた突起が金属体で被覆された構成とすることができる。この場合、樹脂等の非導電材に突起を設け、非導電材及び突起を金属体で被覆するだけで、当該導電部材及び接地部を簡単に作成することができる。【００１１】
前記ハウジングの挿入孔の内面及び前記導電部材の少なくとも一方には、前記ハウジングの挿入孔に挿入された前記導電部材を係止する第１の係止手段が設けられていることが好ましい。この場合、前記導電部材が前記ハウジングの挿入孔に挿入された状態で前記第１の係止手段に係止されるので、当該導電部材が前記ハウジングの挿入孔で簡単に位置決めされると共に、挿入孔から脱落するのを防止することができる。【００１２】
前記導電部材は、前記第１のコンタクト群の信号用コンタクトの中間部と前記第２のコンタクト群の信号用コンタクトの中間部との間に配置される先端側の第１のクロストーク低減部と、前記第１のコンタクト群の信号用コンタクトの後端部と前記第２のコンタクト群の信号用コンタクトの後端部との間に配置される後端側の第２のクロストーク低減部とを有する構成とすることができる。【００１３】
この場合、前記第１のコンタクト群の信号用コンタクトの中間部と前記第２のコンタクト群の信号用コンタクトの中間部との間に配置される前記第１のクロストーク低減部により、両中間部の間のクロストークの発生を低減することが可能になると共に、前記第１のコンタクト群の信号用コンタクトの後端部と前記第２のコンタクト群の信号用コンタクトの後端部との間に配置される前記第２のクロストーク低減部により、両後端部の間のクロストークの発生を低減することが可能になる。よって、コンタクト間での伝送特性のバラツキを抑制することができ、当該電気コネクタの高性能化を図ることが可能になる。【００１４】
前記電気コネクタが複数のリードが接続可能な構成である場合、前記ハウジングの後端部に着脱自在に取り付けられるリード結線補助部材を更に備えている。この場合、前記第１、第２のコンタクト群の信号用コンタクトは、前記中間部が前記ハウジングの挿入孔の両側に配置され、前記後端部が前記ハウジングの後面から突出しており、前記リード結線補助部材は、前記第１、第２のコンタクト群の信号用コンタクトの後端部と前記リードの先端部から取り出された芯線とを各々半田付けのために支持する第１、第２の支持台と、この第１、第２の支持台の後端側に前記第１、第２のコンタクト群の信号用コンタクトと前記一ピッチ間隔で形成され且つ前記リードの先端部を各々挿入して仮止めする複数の第１、第２のリード挿入溝とを有した構成となっており、前記第１のクロストーク低減部が前記ハウジングの挿入孔に挿入され、前記第２のクロストーク低減部が前記リード結線補助部材の前記第１の支持台及び第１のリード挿入溝の部分と該リード結線補助部材の前記第２の支持台及び第２のリード挿入溝の部分との間に配設された構成とすることができる。【００１５】
この場合、前記導電部材の第２のクロストーク低減部が前記第１の支持台及び第１のリード挿入溝と前記第２の支持台及び第２のリード挿入溝との間に配置されているので、前記第１のコンタクト群の信号用コンタクトの後端部及びこれに接続されるリードの芯線と前記第２のコンタクト群の信号用コンタクトの後端部及びこれに接続されるリードの芯線との間で発生するクロストークを低減することができる。また、前記リード結線補助部材の第１、第２のリード挿入溝により前記リードの先端部がハウジングの後側に仮止めされる。これと共に、前記リードの先端部から取り出された芯線とハウジングの後面から突出した前記第１、第２のコンタクト群の信号用コンタクトの後端部とがリード結線補助部材の支持台上に支持されることから、パルスヒート法等の一括半田付けにより前記芯線と前記コンタクトの後端部とを各々半田接続することができ且つ当該半田接続部の供給半田量の均一化を図ることができる。よって、当該電気コネクタの量産性の向上を図ることが可能なると共に、前記半田接続部の供給半田量が不均一であることを原因とするリード間での伝送特性のバラツキを抑制することができ、当該電気コネクタの高性能化を図ることが可能になる。【００１６】
前記ハウジングの後端部の幅方向の両端にはリード結線補助部材を長さ方向に移動自在に案内する一対のガイド手段が設けられていることが好ましい。この場合、リード結線補助部材が一対のガイド手段に案内され、前記ハウジングの後端部に取り付けられるので、リード結線補助部材のハウジングへの取り付けが容易となる。よって、組み立てコストの低減を図ることができる。【００１７】
前記ガイド手段及びリード結線補助部材の少なくとも一方には、前記リード結線補助部材がガイド手段に案内され、前記ハウジングの後端部に取り付けられた状態で、当該リード結線補助部材を係止する第２の係止手段が設けられていることが好ましい。この場合、前記リード結線補助部材が前記ガイド手段にガイドされ前記ハウジングの後端部に取り付けられた状態で、第２の係止手段により係止されるので、前記リード結線補助部材の前記ハウジングの後端部への取り付けが容易になり、組み立てコストの低減を一層図ることができる。また、前記リード結線補助部材が前記ハウジングの後端部から脱落するのを防止することもできる。【００１８】
前記リード結線補助部材の第１、第２の支持台上には、第１、第２のコンタクト群の信号用コンタクトの後端部を各々案内する複数の第１、第２のガイド溝が前記第１、第２のリード挿入溝と連通するように設けられていることが好ましい。この場合、リード結線補助部材がハウジングの後側に装着されると、第１、第２のコンタクト群の信号用コンタクトの後端部が支持台上の第１、第２のガイド溝に入り込んで案内され、第１、第２のリード挿入溝の対向した位置に配置されるので、前記コンタクトの後端部と第１、第２のリード挿入溝に位置決め保持されたリードの芯線との位置合わせを容易に行うことができる。このため、組み立てコストの低減を一層図ることができる。【００１９】
第１、第２のリード挿入溝は前記リードの先端部を圧入して保持可能なように当該リードの先端部より若干小さい幅寸法を有する構成とすることができる。また、第１、第２のリード挿入溝はその開放両端部に内側に向けて当該リードの先端部の抜け止めを防止するための返りが形成された構成とすることもできる。この場合、リードの先端部が確実に位置決め保持される構成となっているので、半田付けの精度が向上する。【００２０】
上記電気コネクタは、前記ハウジングの外周側面を覆うシールドカバーと、前記電気コネクタの基端部の全体を保護するケースとを備える構成とすることができる。【００２１】
上記電気コネクタが、前記導電部材の代わりに、前記ハウジングの挿入孔に挿入され、第１のコンタクト群と第２のコンタクト群との間に配置される多層基板を更に備えている。前記多層基板は、該多層基板の内部に設けられたベタ導体層と、該多層基板の両面のうちの少なくとも一方の面上に設けられたグランド用導体と、前記ベタ導体層と前記グランド用導体とを接続するビアホールとを有し、前記多層基板が前記挿入孔に挿入された状態で、前記多層基板の前記グランド用導体が前記グランド用コンタクトに接触するようになっている。【００２２】
このような電気コネクタによる場合、前記多層基板が前記ハウジングの挿入孔に挿入され、該多層基板のグランド用導体が前記第１及び第２のコンタクト群の少なくとも一方のグランド用コンタクトに接触することにより、該多層基板のベタ導体層がグランド接続される。これにより、前記ベタ導体層が第１のコンタクト群の信号用コンタクトと第２のコンタクト群の信号用コンタクトとの間のクロストークの発生を低減するという上記導電部材と同様の機能を発揮する。このように前記導電部材の代わりに前記多層基板を用いた場合であっても、前記多層基板を前記挿入孔に挿入するだけで、該多層基板のベタ導体層をグランド接続することができるので、従来例の如くベタ導体層をグランド接続するために、ハウジングを２ピース構造にしたり、ハウジングに導出穴を設けたりする必要がない。よって、前記電気コネクタの構成の簡単化を図ることができる。しかも、グランド用コンタクトの位置及び数を可変することにより、当該電気コネクタにとって最適なグランド接続することが可能になる。【００２３】
前記グランド用コンタクトの後端部が前記多層基板の前記導体に接触し、半田接続されることが好ましい。この場合、前記グランド用コンタクトの後端部が前記多層基板の前記導体に電気的且つ機械的に接続される。よって、グランド用コンタクトに外力が加わる等することにより、前記グランド用コンタクトと前記導体との接触が外れてしまうのを抑制することができる。【００２４】
前記多層基板が、該多層基板の両面のうちの少なくとも一方の面上に設けられた信号用導体を更に有している場合、前記第１、第２のコンタクト群の信号用コンタクトの後端部が前記多層基板の前記信号用導体に接触し、半田接続される。【００２５】
前記ベタ導体層は、前記第１のコンタクト群の信号用コンタクトの中間部と前記第２のコンタクト群の信号用コンタクトの中間部との間に配置される先端側の第１のクロストーク低減部と、前記第１のコンタクト群の信号用コンタクトの後端部と前記第２のコンタクト群の信号用コンタクトの後端部との間に配置される後端側の第２のクロストーク低減部とを有する構成とすることができる。【００２６】
この場合、前記第１のコンタクト群の信号用コンタクトの中間部と前記第２のコンタクト群の信号用コンタクトの中間部との間に配置される前記第１のクロストーク低減部により、両中間部の間のクロストークの発生を低減することが可能になると共に、前記第１のコンタクト群の信号用コンタクトの後端部と前記第２のコンタクト群の信号用コンタクトの後端部との間に配置される前記第２のクロストーク低減部により、両後端部の間のクロストークの発生を低減することが可能になる。よって、コンタクト間での伝送特性のバラツキを抑制することができ、当該電気コネクタの高性能化を図ることが可能になる。【００２７】
上記電気コネクタが、複数のリードが接続可能なコネクタである場合、少なくとも前記信号用導体又は信号用コンタクトの後端部に前記リードの先端部から取り出された芯線が各々半田付け可能となっている。【００２８】
前記信号用導体に前記芯線が半田接続される場合には、上記電気コネクタは、前記信号用コンタクトの後端部、前記グランド用コンタクトの後端部、前記信号用導体に前記芯線が半田付けされたリードの先端部及び前記多層基板の先端部以外の部分が埋設される絶縁樹脂製のブロックを更に備えた構成とすることができる。【００２９】
前記信号用コンタクトの後端部に前記芯線が半田接続される場合には、上記電気コネクタは、前記信号用コンタクトの後端部、グランド用コンタクトの後端部、信号用コンタクトの後端部に前記芯線が半田付けされた前記リードの先端部及び前記多層基板の先端部以外の部分が埋設される絶縁樹脂製のブロックを更に備えた構成とすることができる。【００３０】
この場合、ブロックにより、前記リードの芯線と前記信号用導体又は信号用コンタクトの後端部との半田接続状態が維持されるので、リードに外力が加わったとしても、前記半田接続が不用意に外れるのを防止することができる。
【図面の簡単な説明】
【００３１】
【図１】本発明の実施例１に係る電気コネクタを示す概略図であって、（ａ）が斜視図、（ｂ）が側面図、（ｃ）が平面図である。
【図２】前記コネクタの図１（ｃ）中の概略的２−２部分断面図である。
【図３】前記コネクタの図２中の模式的３−３端面図である。
【図４】前記コネクタのハウジング、導電部材及びリード結線補助部材を示す概略的分解斜視図である。
【図５】前記コネクタのハウジングの概略図であって、（ａ）がコンタクト及び導電部材が取り付けられた状態の正面図、（ｂ）が背面図である。
【図６】前記コネクタの導電部材及びリード結線補助部材を示す概略図であって、（ａ）が斜視図、（ｂ）が分解側面図である。
【図７】前記コネクタのリード結線補助部材を示す概略図であって、（ａ）が背面図、（ｂ）がＸ部分拡大図である。
【図８】前記コネクタがレセプタクル側コネクタに接続された状態を示す概略的断面図である。
【図９】本発明の実施例２に係る電気コネクタの概略的斜視図であって、（ａ）が正面平面右側面側から見た図、（ｂ）が正面底面左側面側から見た図である。
【図１０】前記コネクタの概略的正面図である。
【図１１】前記コネクタのケース及びブッシュを除く概略的分解斜視図である。
【図１２】前記コネクタの図１１中の概略的１２−１２断面図である。
【図１３】前記コネクタの図１１中の概略的１３−１３断面図である。
【図１４】前記コネクタの多層基板、コンタクト及びリードの接続状態を示す概略的平面図である。
【図１５】前記コネクタの多層基板、コンタクト及びリードの接続状態を示す概略的底面図である。
【発明を実施するための形態】
【００３２】
以下、本発明の実施例１及び２に係る電気コネクタについて説明する。
【実施例１】
【００３３】
まず、本発明の実施例１に電気コネクタの実施の形態を図面を参照して説明する。図１は前記電気コネクタを示す概略図であって、（ａ）が斜視図、（ｂ）が側面図、（ｃ）が平面図、図２は前記コネクタの図１（ｃ）中の概略的１−１部分断面図、図３は前記コネクタの図２中の模式的２−２端面図、図４は前記コネクタのハウジング、導電部材及びリード結線補助部材を示す概略的分解斜視図、図５は前記コネクタのハウジングの概略図であって、（ａ）がコンタクト及び導電部材が取り付けられた状態の正面図、（ｂ）が背面図、図６は前記コネクタの導電部材及びリード結線補助部材を示す概略図であって、（ａ）が斜視図、（ｂ）が分解側面図、図７は前記コネクタのリード結線補助部材を示す概略図であって、（ａ）が背面図、（ｂ）がＸ部分拡大図、図８は前記コネクタがレセプタクル側コネクタに接続された状態を示す概略的断面図である。【００３４】
図１に示す電気コネクタは、高速信号伝送用のバルクケーブルｃの先端部に取り付けられるディスプレイポートを称されるプラグ側コネクタである。前記電気コネクタは、ハウジング１０と、第１、第２のコンタクト群２０ａ、２０ｂと、導電部材３０と、リード結線補助部材４０と、シールドカバー５０と、ケース６０とを備えている。以下、各構成部品について詳しく説明する。【００３５】
ハウジング１０は、図１乃至図５に示すように、絶縁性を有する樹脂成型品である。ハウジング１０は略直方体の本体部を有する。この本体部の先端部には開口１１が設けられている。前記本体部の後端部には開口１１に連通する挿入孔１２が設けられている。また、前記本体部の開口１１及び挿入孔１２の上側部分及び下側部分には複数の上側、下側コンタクト収容溝１３ａ、１３ｂが所定間隔を空けて配設されている。前記本体部の後端面の幅方向の両端には一対のガイド板１４（ガイド手段）が設けられている。前記本体部の幅方向の両端部及び一対のガイド板１４には一対のロック端子収容溝１５が各々設けられている。【００３６】
開口１１は、電子機器等に備えられるレセプタクル側コネクタＲの接続用凸部Ｒ１（図８参照）が挿入される前面開放の略矩形状の穴である。【００３７】
挿入孔１２は導電部材３０が挿入される後面開放の略矩形状の穴である。【００３８】
上側、下側コンタクト収容溝１３ａ、１３ｂは、図２に示すように、ハウジング１０の長さ方向に向けて形成された長尺状の凹部であって、開口１１及び挿入孔１２に連通している。また、上側コンタクト収容溝１３ａと下側コンタクト収容溝１３ｂは、図５に示すように、位相をずらして配置されている。上側、下側コンタクト収容溝１３ａ、１３ｂのピッチ間隔はレセプタクル側コネクタＲの接続用凸部Ｒ１の上下面に設けられた複数の上側、下側コンタクトＲ１１、Ｒ１２のピッチ間隔と同一となっている。上側、下側コンタクト収容溝１３ａ、１３ｂに第１、第２のコンタクト群２０ａ、２０ｂのコンタクトが収容されることにより、該第１、第２のコンタクト群２０ａ、２０ｂのコンタクトがハウジング１０の挿入孔１２の上側及び下側に配設される。【００３９】
各ガイド板１４の内面には、図４に示すように、一対のガイド凸部１４ａが設けられている。このガイド凸部１４ａがリード結線補助部材４０の幅方向の両端部の一対のガイド凹部４１１に嵌まり込むことにより、リード結線補助部材４０がハウジング１０の本体部の後端部に向けて案内される。【００４０】
各ロック端子収容溝１５には、略Ｕ字状の金属弾性体であるロック端子７０が挿入され取り付けられる。これにより、ロック端子７０の先端部がロック端子収容溝１５から出没自在となる。【００４１】
第１のコンタクト群２０ａは、図２乃至図５に示すように、複数の信号用コンタクト２１ａとグランド用コンタクト２２ａとを有する。信号用コンタクト２１ａ及びグランド用コンタクト２２ａは、先端部が略Ｖ字状に折り曲げられた同一の金属板であって、上側コンタクト収容溝１３ａに収容されることにより、ハウジング１０に幅方向に並べた状態で配列される。この状態で、信号用コンタクト２１ａ及びグランド用コンタクト２２ａは、先端部がハウジング１０の開口１１の上方に位置し、中間部がハウジング１０の挿入孔１２の上方に位置する。信号用コンタクト２１ａ及びグランド用コンタクト２２ａの後端部は、図４に示すように、ハウジング１０の本体部の後面から突出している。前記後端部が、図２に示すように、ケーブルｃ内に組み込まれた複数のリードｃ１から取り出された芯線ｃ１１と半田付けされる結線部となる。【００４２】
第２のコンタクト群２０ｂも、複数の信号用コンタクト２１ｂとグランド用コンタクト２２ｂとを有する。信号用コンタクト２１ｂ及びグランド用コンタクト２２ｂは、先端部が略逆Ｖ字状に折り曲げられた同一の金属板であって、下側コンタクト収容溝１３ｂに収容されることにより、ハウジング１０に幅方向に並べた状態で配列される。この状態で、信号用コンタクト２１ｂ及びグランド用コンタクト２２ｂは、先端部がハウジング１０の開口１１の下方に位置し、中間部がハウジング１０の挿入孔１２の下方に位置する。信号用コンタクト２１ｂ及びグランド用コンタクト２２ｂの後端部は、図４に示すように、ハウジング１０の本体部の後面から突出している。前記後端部が、図２に示すように、ケーブルｃ内に組み込まれた複数のリードｃ１から取り出された芯線ｃ１１と半田付けされる結線部となる。【００４３】
導電部材３０は、図２、図３、図５（ａ）、図６（ａ）及び図６（ｂ）に示されるように、プレス成型により作成される略矩形状の金属板であって、ハウジング１０の挿入孔１２に挿入され、第１、第２のコンタクト群２０ａ、２０ｂの間に配置される。導電部材３０は、ハウジング１０の挿入孔１２に挿入される先端部（第１のクロストーク低減部）と、リード結線補助部材４０の取付穴４４に嵌合する後端部（第２のクロストーク低減部）とを有している。【００４４】
導電部材３０の先端部の長さ寸法は、信号用コンタクト２１ａ、２１ｂ及びグランド用コンタクト２２ａ、２２ｂの中間部の長さ寸法と略同じになっている。導電部材３０の後端部の長さ寸法は、信号用コンタクト２１ａ、２１ｂ及びグランド用コンタクト２２ａ、２２ｂの後端部の長さ寸法よりも長くなっている。【００４５】
導電部材３０の先端部の後方部分には、当該後方部分の一部がカットされ且つ上方に折り曲げられた２つの切り上げ片３１ａ（これが突起状の接地部となる。）と、当該後方部分の一部がカットされ且つ下方に折り曲げられた３つの切り上げ片３１ｂ（これが突起状の接地部となる。）とが設けられている。この切り上げ片３１ａ、３１ｂは交互に配置されており、導電部材３０の先端部がハウジング１０の挿入孔１２に挿入された状態で、グランド用コンタクト２２ａ、２２ｂに接触するようになっている。なお、後方部分の一部をカットする際に、切り上げ片３１ａ、３１ｂとなる部分の端面と前記後方部分に形成される開口の端面との間に大きな隙間が生じないようにしている。即ち、切り上げ片３１ａ、３１ｂの幅寸法が、前記開口の幅寸法とが略同等になるように設定されている。これにより、第１のコンタクト群２０ａの信号用コンタクト２１ａと第２のコンタクト群２０ｂの信号用コンタクト２１ｂとの間で発生した信号が前記隙間を通過し、この点で導電部材３０のクロストーク低減効果が小さくなってしまうのを防止している。【００４６】
また、前記後方部分の幅方向の両端部には一対の係止凸部３２（第１の係止手段）が設けられている。この一対の係止凸部３２を含めた前記後方部分の幅寸法がハウジング１０の挿入孔１２の幅寸法よりも若干大きくなっている。即ち、導電部材３０の先端部がハウジング１０の挿入孔１２に圧入されることにより、一対の係止凸部３２がハウジング１０の挿入孔１２に係止される。この圧入状態で、導電部材３０は、図２に示すように、第１、第２のコンタクト群２０ａ、２０ｂの各コンタクトの中間部及び後端部と略平行に対向配置される。【００４７】
リード結線補助部材４０は、図２、図４及び図６に示すように、ハウジング１０の後端部に取り付けられる絶縁性を有する樹脂成型品であって、ハウジング１０の後端部に取り付けられている。リード結線補助部材４０は、略直方体状のベース部４１と、このベース部４１の後端部の上下面上に各々立設された第１、第２の垂直壁部４２ａ、４２ｂと、ベース部４１の先端部の上下面上に設けられた略板状の第１、第２の支持台４３ａ、４３ｂと、ベース部４１の先端面に設けられた略矩形状の取付穴４４とを有する。【００４８】
ベース部４１の幅方向の両側面には、ハウジング１０の一対のガイド凸部１４ａが挿入される一対のガイド凹部４１１が各々形成されている。このガイド凹部４１１の後端側の上下面には係止凸部４１１１（第２の係止手段）が各々形成されている。上下の係止凸部４１１１の間の距離は、ガイド凸部１４ａの厚み寸法よりも若干小さくなっている。このため、ガイド凸部１４ａがガイド凹部４１１に挿入され、上下の係止凸部４１１１の間に圧入される。これにより、リード結線補助部材４０がハウジング１０の後端部に取り付けられた状態で固定される。なお、ガイド凹部４１１がガイド凸部１４ａに案内されることにより、リード結線補助部材４０をハウジング１０の後端部に装着し易くなり、且つ導電部材３０のハウジング１０の挿入孔１２への挿入及び位置決めも容易になる。【００４９】
第１の垂直壁部４２ａには、図２、図６及び図７に示すように、信号用コンタクト２１ａ及びグランド用コンタクト２２ａと同一ピッチ間隔でケーブルｃのリードｃ１の先端部を挿入して仮止めする役目を果たす複数の第１のリード挿入溝４２１ａが各々形成されている。第１のリード挿入溝４２１ａは、リードｃ１の先端部を圧入して保持可能なようにリードｃ１の先端部より若干小さい幅寸法を有している。しかも、第１のリード挿入溝４２１ａについては、その開放側の両端部に内側に向けてリードｃ１の先端部の抜け止めを防止するための返り４２２ａ、４２２ａが各々形成されている。【００５０】
第２の垂直壁部４２ｂには信号用コンタクト２１ｂ及びグランド用コンタクト２２ｂと同一ピッチ間隔でケーブルｃのリードｃ１の先端部を挿入して仮止めする役目を果たす複数の第２のリード挿入溝４２１ｂが設けられている。第２のリード挿入溝４２１ｂは第１のリード挿入溝４２１ａと同一であるため、説明は省略する。【００５１】
第１の支持台４３ａは、図２及び図６（ａ）に示すように、信号用コンタクト２１ａ及びグランド用コンタクト２２ａの後端部とケーブルｃのリードｃ１の先端部から取り出された芯線ｃ１１とを半田付けするために支持する役目を果たしている。第１の支持台４３ａの面上には、信号用コンタクト２１ａ及びグランド用コンタクト２２ａの後端部を案内する複数の第１のガイド溝４３１ａが第１のリード挿入溝４２１ａに連通して各々形成されている。【００５２】
第２の支持台４３ｂは、信号用コンタクト２１ｂ及びグランド用コンタクト２２ｂの後端部とケーブルｃのリードｃ１の先端部から取り出された芯線ｃ１１とを半田付けするために支持する役目を果たしている。第２の支持台４３ｂの面上には、信号用コンタクト２１ｂ及びグランド用コンタクト２２ｂの後端部を案内する複数の第２のガイド溝４３１ｂが第２のリード挿入溝４２１ｂに連通して各々形成されている。【００５３】
取付穴４４の奥行き寸法は、図２に示すように、ベース部４１の先端面から第１の垂直壁部４２ａと第２の垂直壁部４２ｂとの間までの寸法となっている。このため、取付穴４４に導電部材３０の後端部が嵌合した状態で、当該後端部が第１の支持台４３ａ及び第１のリード挿入溝４２１ａと第２の支持台４３ｂ及び第２のリード挿入溝４２１ｂとの間に配置される。即ち、導電部材３０の後端部が信号用コンタクト２１ａ及びこれに半田接続されるケーブルｃのリードｃ１の芯線ｃ１１と、信号用コンタクト２１ｂ及びこれに半田接続されるケーブルｃのリードｃ１の芯線ｃ１１との間に配置され、これにより両者間のクロストークの発生を低減している。【００５４】
シールドカバー５０は、図１及び図２に示すように、ハウジング１０の外周側面を覆う直方筒状体のシェルである。シールドカバー５０の先端側上面の両側には、ロック端子７０の先端部が挿入される一対の穴５１と、レセプタクル側コネクタＲの係止部が係止される係止穴５２とが各々形成されている。【００５５】
ケース６０は、ハウジング１０及びシールドカバー５０を収容し、シールドカバー５０の基端部を保護するモールド樹脂成型体である。ケース６０の上面には、前記レセプタクル型コネクタとのロック／ロック解除を切り換えるための押しボタン６１が設けられている。即ち、ケース６０内において押しボタン６１がロック端子７０の基端部に連結されており、これを通じてロック端子７０の先端部が上下移動するようになっている。【００５６】
以上のような構成部品を有する電気コネクタは次のように組み立てられる。まず、信号用コンタクト２１ａ及びグランド用コンタクト２２ａをハウジング１０の上側コンタクト収容溝１３ａに圧入する。同様に、信号用コンタクト２１ｂとグランド用コンタクト２２ｂをハウジング１０の下側コンタクト収容溝１３ｂに圧入する。すると、信号用コンタクト２１ａ及びグランド用コンタクト２２ａの後端部がハウジング１０の本体部の後面から突出し、信号用コンタクト２１ｂ及びグランド用コンタクト２２ｂの後端部がハウジング１０の本体部の後面から突出する。このようにして信号用コンタクト２１ａ及びグランド用コンタクト２２ａと、信号用コンタクト２１ｂ及びグランド用コンタクト２２ｂとがハウジング１０の挿入孔１２の上下両側に位相をずらして配設される。【００５７】
その後、導電部材３０の後端部をリード結線補助部材４０の取付穴４４に嵌合させる。そして、導電部材３０の先端部をハウジング１０の挿入孔１２に挿入すると共に、リード結線補助部材４０の一対のガイド凹部４１１にハウジング１０の一対のガイド凸部１４ａを挿入する。すると、導電部材３０の切り上げ片３１ａ、３１ｂがグランド用コンタクト２２ａ、２２ｂに各々接触する。これにより、導電部材３０とグランド用コンタクト２２ａ、２２ｂが電気的に接続される。【００５８】
このとき、導電部材３０の一対の係止凸部３２が挿入孔１２の両側面に圧入されると共に、一対のガイド凸部１４ａがリード結線補助部材４０の一対のガイド凹部４１１の上下の係止凸部４１１１の間に圧入される。これにより、導電部材３０の先端部がハウジング１０の挿入孔１２に挿入され位置固定され、信号用コンタクト２１ａ及びグランド用コンタクト２２ａの中間部と、信号用コンタクト２１ｂ及びグランド用コンタクト２２ｂの中間部との間に配置されると共に、リード結線補助部材４０がハウジング１０の後端部に取り付けられた状態で固定される。【００５９】
このとき、ハウジング１０の本体部の後面から突出した信号用コンタクト２１ａ及びグランド用コンタクト２２ａがリード結線補助部材４０の第１のガイド溝４３１ａに各々挿入され、第１の支持台４３ａ上に配置される。これと共に、信号用コンタクト２１ｂ及びグランド用コンタクト２２ｂがリード結線補助部材４０の第２のガイド溝４３１ｂに各々挿入され、第２の支持台４３ｂ上に配置される。【００６０】
その後、ケーブルｃの各リードｃ１の先端部から芯線ｃ１１を取り出す。そして、リードｃ１の先端部をリード結線補助部材４０の第１、第２のリード挿入溝４２１ａ、４２１ｂに各々圧入し、各リードｃ１の芯線ｃ１１を第１、第２の支持台４３ａ、４３ｂ上に配置する。【００６１】
その後、信号用コンタクト２１ａ及びグランド用コンタクト２２ａとリードｃ１の芯線ｃ１１とが第１の支持台４３ａ上で、信号用コンタクト２１ｂ及びグランド用コンタクト２２ｂとリードｃ１の芯線ｃ１１とが第２の支持台４３ｂ上で、パルスヒート法等により各々一括で半田付けされる。これにより、導電部材３０の後端部が、信号用コンタクト２１ａ、グランド用コンタクト２２ａの後端部及びこれらに半田接続される芯線ｃ１１と、信号用コンタクト２１ｂ、グランド用コンタクト２２ｂの後端部及びこれらに半田接続される芯線ｃ１１との間に位置することになる。【００６２】
この状態のハウジング１０をシールドカバー５０に挿入する。そして、当該シールドカバー５０の基端部をケース６０でモールドする。【００６３】
このように組み立てられた電気コネクタは次のように使用される。まず、電気コネクタの開口１１にレセプタクル側コネクタＲの接続用凸部Ｒ１を挿入させる。すると、図８に示すように、電気コネクタの信号用コンタクト２１ａ及びグランド用コンタクト２２ａの先端部が接続用凸部Ｒ１に上方に押圧され、上側コンタクトＲ１１に各々弾性接触する。これと共に、信号用コンタクト２１ｂ及びグランド用コンタクト２２ｂの先端部が接続用凸部Ｒ１に下方に押圧され、下側コンタクトＲ１２に各々弾性接触する。これにより、リードｃ１及び信号用コンタクト２１ａ、２１ｂが信号用の上側、下側コンタクトＲ１１、Ｒ１２を介して上記電子機器等の基板の電極パターンに接続され、導電部材３０及びグランド用コンタクト２２ａ、２２ｂがグランド用の上側、下側コンタクトＲ１１、Ｒ１２を介して前記基板のグランドパターンに接続される。【００６４】
以上のような電気コネクタによる場合、導電部材３０をハウジング１０の挿入孔１２に挿入するだけで、導電部材３０の切り上げ片３１ａ、３１ｂがグランド用コンタクト２２ａ、２２ｂに接触するようになっている。このため、前記電気コネクタがレセプタクル側コネクタＲに接続され、グランド用コンタクト２２ａ、２２ｂがグランド用の上側、下側コンタクトＲ１１、Ｒ１２に各々接触することにより、導電部材３０及びグランド用コンタクト２２ａ、２２ｂを一度に前記基板のグランドパターンに接続することができる。よって、導電部材３０をグランド接続するために、ハウジング１０を２ピース構造にしたりハウジング１０に導出穴を設けたりする必要がないので、前記電気コネクタの構成の簡単化を図ることができる。【００６５】
また、導電部材３０の先端部がハウジング１０の挿入孔１２に挿入され、信号用コンタクト２１ａ及びグランド用コンタクト２２ａの中間部と信号用コンタクト２１ｂ及びグランド用コンタクト２２ｂの中間部との間に配置されていることから、信号用コンタクト２１ａの中間部と信号用コンタクト２１ｂの中間部との間のクロストークの発生を低減することができる。また、導電部材３０の後端部がリード結線補助部材４０の取付穴４４に嵌合することにより、信号用コンタクト２１ａの後端部、グランド用コンタクト２２ａの後端部及びこれらの後端部に半田接続される上側のリードｃ１の芯線ｃ１１と、信号用コンタクト２１ｂの後端部、グランド用コンタクト２２ｂの後端部及びこれらの後端部に半田接続される下側のリードｃ１の芯線ｃ１１との間に配置される。よって、導電部材３０の後端部により、信号用コンタクト２１ａの後端部及び上側のリードｃ１の芯線ｃ１１と、信号用コンタクト２１ｂの後端部及び下側のリードｃ１の芯線ｃ１１との間のクロストークの発生も低減することができる。更に、グランド用コンタクト２２ａが所定の本数毎に信号用コンタクト２１ａの間に配置され且つグランド用コンタクト２２ｂが所定の本数毎に信号用コンタクト２１ｂの間に配置されることから、信号用コンタクト２１ａ間のクロストークの発生の低減及び信号用コンタクト２１ｂ間のクロストークの発生の低減も図ることができる。【００６６】
しかも、導電部材３０の切り上げ片３１ａ、３１ｂがグランド用コンタクト２２ａ、２２ｂを介して前記基板のグランドパターンに接続されているので、上記クロストークの低減効果を一層向上させることができる。また、グランド用コンタクト２２ａ、２２ｂの位置及び／又は数を可変することにより、当該電気コネクタの製品毎に応じた最適なグランド接続を図ることが可能になる。【００６７】
また、リード結線補助部材４０の第１、第２のリード挿入溝４２１ａ、４２１ｂによりケーブルｃのリードｃ１の先端部がハウジング１０の後側に仮止めされると共に、リードｃ１の先端部から取り出された芯線ｃ１１とハウジング１０の後面から突出した信号用コンタクト２１ａ、２１ｂ及びグランド用コンタクト２２ａ、２２ｂの後端部とがリード結線補助部材４０の第１、第２の支持台４３ａ、４３ｂ上に支持された状態で、パルスヒート法等の一括半田付けされる。このため、前記電気コネクタの組み立てが容易になり、量産性の向上を図ることが可能になる。【００６８】
また、ケーブルｃのリードｃ１の先端部が返り４２２ａ、４２２ｂにより第１、第２のリード挿入溝４２１ａ、４２１ｂから簡単に抜けるのを防止されるだけでなく、第１、第２のリード挿入溝４２１ａ、４２１ｂに圧入保持されるようになっている。よって、リードｃ１の先端部がリード結線補助部材４０上で確実に位置決めされ、これに伴って半田付けの精度が非常に高くなる。それ故、本電気コネクタの伝送特性の向上による高性能化を図ることが可能になる。【００６９】
更に、ハウジング１０の挿入孔１２に導電部材３０が挿入されることから、ハウジング１０の撓み防止となる。加えて、リード結線補助部材４０がハウジング１０の一対のガイド板１４の内側に配置されているので、当該ガイド板１４が補強される。それ故、電気コネクタ全体の機械的強度が向上し、これに伴って小型薄型化を図ることもが可能となる。
【実施例２】
【００７０】
次に、本発明の実施例２に係る電気コネクタについて図９乃至図１２を参照しつつ説明する。図９は本発明の実施例２に係る電気コネクタの概略的斜視図であって、（ａ）が正面平面右側面側から見た図、（ｂ）が正面底面左側面側から見た図、図１０は前記コネクタの概略的正面図、図１１は前記コネクタのケース及びブッシュを除く概略的分解斜視図、図１２は前記コネクタの図１１中の概略的１２−１２断面図、図１３は前記コネクタの図１１中の概略的１３−１３断面図、図１４は前記コネクタの多層基板、コンタクト及びリードの接続状態を示す概略的平面図、図１５は前記コネクタの多層基板、コンタクト及びリードの接続状態を示す概略的底面図である。【００７１】
図９乃至図１１に示す電気コネクタは、高速信号伝送用のバルクケーブルｃの先端部に取り付けられるディスプレイポートを称されるプラグ側コネクタである。前記電気コネクタは、ハウジング１００と、第１、第２のコンタクト群２００ａ、２００ｂと、多層基板３００と、ブロック４００と、シールドカバー５００と、ケース６００と、ブッシュ７００とを備えている。以下、各構成部品について詳しく説明する。【００７２】
ハウジング１０は、図９乃至図１２に示すように、絶縁性を有する断面視略横向きＵ字状の樹脂成型品である。このハウジング１００の先端部には凹部１１０が設けられている。この凹部１１０は、電子機器等に備えられるレセプタクル側コネクタＲ’の接続用凸部Ｒ１’が挿入される略矩形状の凹部である。また、ハウジング１００の後端部には、凹部１１０に連通する挿入孔１２０が設けられている。この挿入孔１２０は多層基板３００が挿入される略矩形状の穴である。【００７３】
また、ハウジング１００の凹部１１０及び挿入孔１２０の上側部分及び下側部分には、図１０及び図１１に示すように、複数の上側、下側コンタクト収容溝１３０ａ、１３０ｂが所定間隔を空けて配設されている。上側、下側コンタクト収容溝１３０ａ、１３０ｂは、ハウジング１００の長さ方向に向けて延びる長尺状の凹部であって、凹部１１０及び挿入孔１２０に連通している。また、上側コンタクト収容溝１３０ａと下側コンタクト収容溝１３０ｂは、図１０及び図１１に示すように、同ピッチ間隔で配置されている。上側、下側コンタクト収容溝１３０ａ、１３０ｂのピッチ間隔はレセプタクル側コネクタＲ’の接続用凸部Ｒ１’の上下面に設けられた複数の上側、下側コンタクトＲ１１’、Ｒ１２’のピッチ間隔と同一となっている。【００７４】
第１のコンタクト群２００ａは、図１０乃至図１５に示すように、複数の信号用コンタクト２１０ａ、グランド用コンタクト２２０ａ及びその他のコンタクト２３０ａを有する。信号用コンタクト２１０ａ、グランド用コンタクト２２０ａ及びコンタクト２３０ａは略同一の金属製の端子である。信号用コンタクト２１０ａ、グランド用コンタクト２２０ａ及びコンタクト２３０ａの中間部２１２ａ、２２２ａ、２３２ａは直線状の部位である。この中間部２１２ａ、２２２ａ、２３２ａの幅方向の両端には、幅方向に凸の一対の圧入片２１２ａ１、２２２ａ１、２３２ａ１が設けられている。圧入片２１２ａ１、２２２ａ１、２３２ａ１を含む中間部２１２ａ、２２２ａ、２３２ａの幅寸法が上側コンタクト収容溝１３ａの幅寸法よりも若干大きくなっている。すなわち、中間部２１２ａ、２２２ａ、２３２ａが上側コンタクト収容溝１３ａに圧入されることにより、信号用コンタクト２１０ａ、グランド用コンタクト２２０ａ及びコンタクト２３０ａがハウジング１０に幅方向に並べた状態で配列される。なお、コンタクト２３０ａは、グランド、電源用又は低速信号用コンタクト等として用いられる。【００７５】
信号用コンタクト２１０ａ、グランド用コンタクト２２０ａ及びコンタクト２３０ａの先端部２１１ａ、２２１ａ、２３１ａは中間部２１２ａ、２２２ａ、２３２ａの長さ方向の一端に続く部位であって、略Ｖ字状に折り曲げられている。先端部２１１ａ、２２１ａ、２３１ａの先端には略円弧状の接点部２１１ａ１、２２１ａ１、２３１ａ１が設けられている。この接点部２１１ａ１、２２１ａ１、２３１ａ１が上側コンタクト収容溝１３ａから突出してハウジング１００の凹部１１０内に位置し、レセプタクル側コネクタＲ’の上側コンタクトＲ１１’に接触可能になっている。【００７６】
信号用コンタクト２１０ａ、グランド用コンタクト２２０ａ及びコンタクト２３０ａの後端部２１３ａ、２２３ａ、２３３ａは中間部２１２ａ、２２２ａ、２３２ａの長さ方向の他端に続く部位であって、略Ｌ字状に折り曲げられている。後端部２１３ａ、２２３ａ、２３３ａが多層基板３００の上側信号用導体３２１、上側グランド用導体３２２、その他の導体３２３に接触し半田接続される。【００７７】
第２のコンタクト群２００ｂも、図１０及び図１５に示すように、複数の信号用コンタクト２１０ｂ、グランド用コンタクト２２０ｂ及びその他のコンタクト２３０ｂを有する。信号用コンタクト２１０ｂ、グランド用コンタクト２２０ｂ及びコンタクト２３０ｂは、中間部２１２ｂ、２２２ｂ、２３２ｂが下側コンタクト収容溝１３ｂに圧入され、第１のコンタクト群２００ａと異なる並びでハウジング１０に幅方向に配列されている以外同じものである。従って、重複する説明については省略する。なお、コンタクト２３０ｂも、グランド、電源用又は低速信号用コンタクト等として用いられる。【００７８】
多層基板３００は、複数の絶縁層の間に導体層を有する周知の多層基板である。この多層基板３００の先端部が、図１２及び図１３に示すように、ハウジング１００の挿入孔１２０に挿入される。多層基板３００の内部の導体層の一つは、銅箔等の導体が該多層基板３００の略全域に広がったベタ導体層３１０となっている。また、多層基板３００の上面上には、図１４に示すように、上側信号用導体３２１、上側グランド用導体３２２及びその他の導体３２３が設けられている。上側信号用導体３２１は多層基板３００の中間部上に位置する導電印刷パターンである。上側グランド用導体３２２及び導体３２３は多層基板３００の中間部から後端部に延びた導電印刷パターンである。多層基板３００の下面上には、図１５に示すように、下側信号用導体３３１、下側グランド用導体３３２及びその他の導体３３３が設けられている。下側信号用導体３３１は多層基板３００の中間部下に位置する導電印刷パターンである。下側グランド用導体３３２及び導体３２３は多層基板３００の中間部から後端部に延びた導電印刷パターンである。多層基板３００の内部には、図１２及び図１３に示すように、ベタ導体層３１０と上側グランド用導体３２２及び下側グランド用導体３３２とを接続する複数のスルーホール３４０（すなわち、貫通型のビアホール）が設けられている。なお、導体３２３、３３３はグランド、電源用又は低速信号用導体等として用いられる。【００７９】
図１２及び図１４に示すように、上側信号用導体３２１には第１のコンタクト群２００ａの後端部２１３ａが半田接続されると共に、ケーブルｃ内に組み込まれた複数のリードｃ１から取り出された芯線ｃ１１が半田接続される。図１３及び図１４に示すように、上側グランド用導体３２２には第１のコンタクト群２００ａの後端部２２３ａが半田接続されると共に、ケーブルｃから取り出された図示しないグランド用の芯線が半田接続される。導体３２３には、第１のコンタクト群２００ａの後端部２３３ａが半田接続されると共に、ケーブルｃから取り出された図示しないグランド、電源用又は低速信号用等の芯線が半田接続される。図１２及び図１５に示すように、下側信号用導体３３１には第２のコンタクト群２００ｂの後端部２１３ｂが半田接続されると共に、ケーブルｃのリードｃ１の芯線ｃ１１が半田接続される。図１３及び図１５に示すように、下側グランド用導体３３２には第２のコンタクト群２００ｂの後端部２２３ｂが半田接続されると共に、ケーブルｃから取り出された図示しないグランド用の芯線が半田接続される。導体３３３には、第２のコンタクト群２００ｂの後端部２３３ｂが半田接続されると共に、ケーブルｃから取り出された図示しないグランド、電源用又は低速信号用等の芯線が半田接続される。なお、以下、このように後端部２１３ａ、２２３ａ、２３３ａ、２１３ｂ、２２３ｂ、２３３ｂが半田接続された状態を半田接続状態と称する。グランド用コンタクト２２０ａの後端部２２３ａが上側グランド用導体３２２に、グランド用コンタクト２２０ｂの後端部２２３ｂが下側グランド用導体３３２に接続されることにより、ベタ導体層３１０がグランド接続される。【００８０】
前記半田接続状態で、図１２及び図１３に示すように、多層基板３００の先端部が第１のコンタクト群２００ａの中間部２１２ａ、２２２ａ、２３２ａと第２のコンタクト群２００ｂの中間部２１２ｂ、２２２ｂ、２３２ｂとの間に配置され、該多層基板３００の中間部が第１のコンタクト群２００ａの後端部２１３ａ、２２３ａ、２３３ａと第２のコンタクト群２００ｂの後端部２１３ｂ、２２３ｂ、２３３ｂとの間に配置される。すなわち、ベタ導体層３１０の先端部（すなわち、先端側の部分）が、第１のコンタクト群２００ａの中間部２１２ａ、２２２ａ、２３２ａと第２のコンタクト群２００ｂの中間部２１２ｂ、２２２ｂ、２３２ｂとの間に配置され、該ベタ導体層３１０の先端部が第１のコンタクト群２００ａの中間部２１２ａと第２のコンタクト群２００ｂの中間部２１２ｂとの間のクロストークを低減する第１のクロストーク低減部として機能する。また、ベタ導体層３１０の中間部（すなわち、前記先端部よりも後端側の部分）が第１のコンタクト群２００ａの後端部２１３ａ、２２３ａ、２３３ａと第２のコンタクト群２００ｂの後端部２１３ｂ、２２３ｂ、２３３ｂとの間に配置され、該ベタ導体層３１０の中間部が第１のコンタクト群２００ａの後端部２１３ａと第２のコンタクト群２００ｂの後端部２１３ｂとの間のクロストークを低減する第２のクロストーク低減部として機能する。【００８１】
ブロック４００は、図１１乃至図１３に示すように、略直方体状の絶縁樹脂成型体である。多層基板３００の先端部以外の部分、第１のコンタクト群２００ａの多層基板３００の上側信号用導体３２１、上側グランド用導体３２２、導体３２３に半田接続された後端部２１３ａ、２２３ａ、２３３ａ、第２のコンタクト群２００ｂの多層基板３００の下側信号用導体３３１、下側グランド用導体３３２、導体３３３に半田接続された後端部２１３ｂ、２２３ｂ、２３３ｂ、芯線ｃ１１が上側信号用導体３２１、下側信号用導体３３１に半田接続された複数のリードｃ１の先端部及び芯線が上側グランド用導体３２２及び下側グランド用導体３３２に接続されたリードの先端部がブロック４００内に埋設されている。【００８２】
シールドカバー５００は、図１１に示すように、直方筒状体のシェル５１０と、このシェル５１０の後端に連続して設けられた略Ｕ字状のグランド接続部５２０とを有している。シェル５１０は、平板状の金属板が直方筒状に折り曲げられたものであって、ハウジング１００及びブロック４００の外周側面を覆う。グランド接続部５２０は、両先端部が内側に折り曲げられ、ケーブルｃの外側絶縁体ｃ３から露出した複数のリードｃ１を覆うシールド導体ｃ２に接触する。これにより、グランド接続部５２０がシールド導体ｃ２に接続される。すなわち、ケーブルｃのシールド導体ｃ２を介してシールドカバー５００がグランド接続される。【００８３】
ブッシュ７００は、図９に示すように、ケーブルｃのシールド導体ｃ２に接続されたシールドカバー５００のグランド接続部５２０に外嵌される円筒体である。ケース６００は、図９に示すように、ハウジング１００及びブロック４００を覆うシェル５１０の先端部を除く部分とブッシュ７００の先端部とが埋設される略直方体状の絶縁樹脂成型体である。【００８４】
以上のような構成の電気コネクタは次のように組み立てられる。まず、第１のコンタクト群２００ａの信号用コンタクト２１０ａ、グランド用コンタクト２２０ａ及びコンタクト２３０ａをハウジング１００の上側コンタクト収容溝１３０ａに後方から各々挿入し、該信号用コンタクト２１０ａ、グランド用コンタクト２２０ａ及びコンタクト２３０ａの中間部２１２ａ、２２２ａ、２３２ａを該上側コンタクト収容溝１３０ａに各々圧入する。これと共に、第２のコンタクト群２００ｂの信号用コンタクト２１０ｂ、グランド用コンタクト２２０ｂ及びコンタクト２３０ｂを下側コンタクト収容溝１３０ｂに各々挿入し、該信号用コンタクト２１０ｂ、グランド用コンタクト２２０ｂ及びコンタクト２３０ｂの中間部２１２ｂ、２２２ｂ、２３２ｂを該下側コンタクト収容溝１３０ｂに各々圧入する。【００８５】
その後、多層基板３００をハウジング１００の挿入孔１２０に挿入する。すると、信号用コンタクト２１０ａ、グランド用コンタクト２２０ａ及びコンタクト２３０ａの後端部２１３ａ、２２３ａ、２３３ａが多層基板３００の上側信号用導体３２１、上側グランド用導体３２２、導体３２３に、信号用コンタクト２１０ｂ、グランド用コンタクト２２０ｂ及びコンタクト２３０ｂの後端部２１３ｂ、２２３ｂ、２３３ｂが多層基板３００の下側信号用導体３３１、下側グランド用導体３３２、導体３３３に各々接触する。この状態で、後端部２１３ａ、２２３ａ、２３３ａを上側信号用導体３２１、上側グランド用導体３２２、導体３２３に、後端部２１３ｂ、２２３ｂ、２３３ｂを下側信号用導体３３１、下側グランド用導体３３２、導体３３３に各々半田付けする。【００８６】
その後、上側信号用導体３２１、下側信号用導体３３１にケーブルｃのリードｃ１の芯線１１を各々半田接続する。上側グランド用導体３２２及び下側グランド用導体３３２にもケーブルｃの上記芯線を半田接続する。【００８７】
この状態で、多層基板３００の先端部以外の部分、第１のコンタクト群２００ａの多層基板３００の上側信号用導体３２１、上側グランド用導体３２２、導体３２３に半田接続された後端部２１３ａ、２２３ａ、２３３ａ、第２のコンタクト群２００ｂの多層基板３００の下側信号用導体３３１、下側グランド用導体３３２、導体３３３に半田接続された後端部２１３ｂ、２２３ｂ、２３３ｂ、芯線ｃ１１が上側信号用導体３２１、下側信号用導体３３１に半田接続された複数のリードｃ１の先端部及び芯線が上側グランド用導体３２２及び下側グランド用導体３３２に接続されたリードの先端部を絶縁樹脂でモールドして該絶縁樹脂内に埋設する。この絶縁樹脂がブロック４００となる。【００８８】
その後、シールドカバー５００の平板状のシェル５１０を折り曲げてハウジング１００及びブロック４００を覆う。これにより、シェル５１０が直方筒状体となる。その後、シールドカバー５００のグランド接続部５２０を折り曲げ、ケーブルｃのシールド導体ｃ２を覆う。このとき、グランド接続部５２０をシールド導体ｃ２に接触させる。【００８９】
その後、ブッシュ７００にケーブルｃを挿入し、該ブッシュ７００をグランド接続部５２０に外嵌させる。この状態で、シェル５１０の先端部を除く部分及びブッシュ７００の先端部を絶縁樹脂でモールドして該絶縁樹脂内に埋設する。この絶縁樹脂がケース６００となる。【００９０】
このように組み立てられた電気コネクタは次のように使用される。まず、電気コネクタの凹部１１０にレセプタクル側コネクタＲ’の接続用凸部Ｒ１’を挿入させる。すると、電気コネクタの信号用コンタクト２１０ａ、グランド用コンタクト２２０ａ及びコンタクト２３０ａの接点部２１１ａ１、２２１ａ１、２３１ａ１が接続用凸部Ｒ１’により上方に押圧され、上側コンタクトＲ１１’に各々弾性接触する。これと共に、信号用コンタクト２１０ｂ、グランド用コンタクト２２０ｂ及びコンタクト２３０ｂの接点部２１１ｂ１、２２１ｂ１、２３１ｂ１が接続用凸部Ｒ１’により下方に押圧され、下側コンタクトＲ１２’に各々弾性接触する。これにより、リードｃ１及び信号用コンタクト２１０ａ、２１０ｂが信号用の上側、下側コンタクトＲ１１’、Ｒ１２’を介して上記電子機器等の基板の電極パターンに接続されると共に、多層基板３００のベタ導体層３１０、スルーホール３４０、上側グランド用導体３２２、下側グランド用導体３３２及びグランド用コンタクト２２０ａ、２２０ｂがグランド用の上側、下側コンタクトＲ１１’、Ｒ１２’を介して上記電子機器等の基板のグランドパターンに接続される。【００９１】
このような電気コネクタによる場合、多層基板３００をハウジング１００の挿入孔１２０に挿入し、多層基板３００の上側グランド用導体３２２に第１のコンタクト群２００ａの後端部２２３ａを、多層基板３００の下側グランド用導体３３２に第２のコンタクト群２００ｂの後端部２２３ｂを接触させ半田接続するだけで、多層基板３００のベタ導体層３１０をグランド接続することができる。このため、ベタ導体層３１０をグランド接続するために、ハウジング１００を２ピース構造にしたり、ハウジング１００に導出穴を設けたりする必要がないので、該電気コネクタの構成の簡単化を図ることができる。【００９２】
また、多層基板３００の先端部がハウジング１００の挿入孔１２０に挿入され、該多層基板３００のベタ導体層３１０の先端部が第１のコンタクト群２００ａの中間部２１２ａ、２２２ａ、２３２ａと、第２のコンタクト群２００ｂの中間部２１２ｂ、２２２ｂ、２３２ｂとの間に配置されている。よって、ベタ導体層３１０の先端部により、信号用コンタクト２１０ａの中間部２１２ａと信号用コンタクト２１０ｂの中間部２１２ｂとの間のクロストークの発生を低減することができる。また、多層基板３００の中間部が第１のコンタクト群２００ａの後端部２１３ａ、２２３ａ、２３３ａと、第２のコンタクト群２００ｂの後端部２１３ｂ、２２３ｂ、２３３ｂとの間に配置されている。よって、ベタ導体層３１０の中間部により、信号用コンタクト２１０ａの後端部２１３ａ及び上側信号用導体３２１に半田接続される上側のリードｃ１の芯線ｃ１１と、信号用コンタクト２１０ｂの後端部２１３ｂ及び下側信号用導体３３１に半田接続される下側のリードｃ１の芯線ｃ１１との間のクロストークの発生も低減することができる。更に、グランド用コンタクト２２０ａが信号用コンタクト２１０ａの間に配置され且つグランド用コンタクト２２０ｂが信号用コンタクト２１０ｂの間に配置されることから、信号用コンタクト２１０ａ間のクロストークの発生の低減及び信号用コンタクト２１０ｂ間のクロストークの発生の低減も図ることができる。【００９３】
しかも、多層基板３００のベタ導体層３１０がグランド用コンタクト２２０ａ、２２０ｂを介して上記電子機器等の基板のグランドパターンに接続されているので、上記クロストークの低減効果を一層向上させることができる。また、グランド用コンタクト２２０ａ、２２０ｂの位置及び／又は数を可変することにより、又はベタ導体層３１０の領域を可変することより、当該電気コネクタの製品毎に応じた最適なグランド接続を図ることが可能になる。【００９４】
また、ブロック４００により、リードｃ１の芯線１１が上側信号用導体３２１、下側信号用導体３３１に各々半田接続された状態で維持されるため、ケーブルｃに外力が加わったとしても、リードｃ１の芯線１１と上側信号用導体３２１、下側信号用導体３３１との接続が不用意に外れてしまうのを防止することができる。【００９５】
更に、ハウジング１００の挿入孔１２０に多層基板３００が挿入されることから、ハウジング１００の撓み防止となる。よって、電気コネクタ全体の機械的強度が向上し、これに伴って小型薄型化を図ることもが可能となる。【００９６】
なお、上述した電気コネクタについては、特許請求の範囲の趣旨に適う限り、任意に設計変更することが可能である。以下、各構成部品の設計変更について詳しく述べる。【００９７】
ハウジング１０、１００については、少なくとも一つの挿入孔を有し且つ当該挿入孔の両側に第１、第２のコンタクト群が配設可能なものである限り、任意に設計変更可能である。従って、ハウジングに２以上の挿入孔を設け、該ハウジングに３列以上のコンタクト群を配列することも可能である。第１、第２のコンタクト群は、ハウジングの挿入孔の両側に埋設されていても良い。【００９８】
上記実施例１では、一対のガイド板１４の内面には、ガイド凸部１４ａが設けられているとしたが、ガイド凹部を設けることも可能である。この場合、リード結線補助部材４０のベース部４１の両端部にガイド凸部を設けるようにすれば良い。なお、ガイド板１４は省略することが可能であり且つ板状体以外の形状とすることが可能である。この場合、導電部材３０をハウジング１０の挿入孔１２に嵌合させることにより、リード結線補助部材４０をハウジング１０の後端部に取り付ける等の別の取付手段により取り付ければ良い。【００９９】
導電部材３０については、前記ハウジングの挿入孔に挿入され、第１、第２のコンタクト群のグランド用コンタクトに接触するものである限り、どのようなものを用いても良い。例えば、導電部材として樹脂等の非導電材に蒸着等により金属体で被覆したものを用いることができる。【０１００】
また、上記実施例１では、導電部材３０は、先端部が第１のクロストーク低減部、後端部が第２のクロストーク低減部であるとしたが、これに限定されるものではない。例えば、導電部材３０全体を第１のクロストーク低減部とすることが可能であり、導電部材３０の先端部を延長し、第１、第２のコンタクト群の信号用コンタクトの先端部の間に配置するように設計変更することが可能である。【０１０１】
また、上記実施例１では、導電部材３０は前記グランド用コンタクトに接触する接地部として切り上げ片３１ａ、３１ｂを用いるとしたが、これに限定されるものではない。例えば、前記接地部としては、板状の導電部材に凸状の金属体を溶接等で接続したもの、前記非導電材に突起を設け、当該突起を金属体で被覆したものや前記導電部材又は金属体とグランド用コンタクトとを接続するリード線等の電気接続手段を用いることができる。なお、前記導電部材に前記接地部を設けず、前記導電部材の本体を前記グランド用コンタクトに直接接触させるようにしても構わない。【０１０２】
また、導電部材３０は第１、第２のコンタクト群中の少なくとも一つのグランド用コンタクトに接触していれば良い。勿論、第１、第２のコンタクト群中の全てのグランド用コンタクトに接続されていても良い。【０１０３】
切り上げ片３１ａ、３１ｂは、そのバネ性を向上させ、接地を重視することができる。例えば、導電部材３０のクロストークの低減効果に影響を与えない場合には、切り上げ片の幅寸法を当該切り上げ片が切り出された導電部材の開口の幅寸法よりも小さくすることにより、切り上げ片を上下に弾性変形可能な構成とすることができる。【０１０４】
上記実施例１では、導電部材３０は、幅方向の両端部に第１の係止手段として一対の係止凸部３２が設けられているとしたが、これを設けるか否かは任意である。また、前記第１の係止手段は、導電部材３０に設けられている必要はなく、ハウジング１０の挿入孔１２の幅方向の側面に係止凸部を設けることも可能である。前記第１の係止手段は、導電部材及びハウジング１０の挿入孔１２の幅方向の側面の双方に設けることが可能であり、係止凸部と係止凹部を組み合わせたもの等その他の周知の係止手段を採用することが可能である。【０１０５】
また、上記実施例２では、多層基板３００の上下面上には、上側グランド用導体３２２、下側グランド用導体３３２が設けられているとしたが、これに限定されるものではない。すなわち、多層基板の面上には、上側グランド用導体３２２の下側グランド用導体３３２のいずれか一方が設けられており、グランド用コンタクトに接触可能になっていれば良い。【０１０６】
また、上記実施例２では、ベタ導体層３１０は、導体が多層基板３００の全域に広がっているとしたが、これに限定されるものではない。換言すると、ベタ導体層３１０は多層基板３００の内層の一部の領域に設けられているものであっても良い。この場合であっても、前記ベタ導体層が信号用コンタクト２１０ａと信号用コンタクト２１０ｂとの間に配置して、その間のクロストークを低減し得る。【０１０７】
また、上記実施例２では、多層基板３００は、該多層基板３００を貫通するスルーホール３４０を有するとしたが、これに限定されるものではない。スルーホール３４０以外のビアホールとして、ベタ導体層３１０と上側グランド用導体３２２又は下側グランド用導体３３２とを接続するインターステシャルビアホール（Interstitial Via Hole）を用いることができる。【０１０８】
また、上記実施例２では、多層基板３００の上下面上には、上側信号用導体３２１、下側信号用導体３３１が設けられているとしたが、これらを設けるか否かは任意である。例えば、ケーブルｃのリードｃ１の芯線１１が信号用コンタクト２１０ａ、２１０ｂに直接半田接続される場合には、上側信号用導体３２１、下側信号用導体３３１を省略することが可能である。また、上記実施例２では、上側グランド用導体３２２、下側グランド用導体３３２にケーブルｃの芯線が半田接続されているとしたが、これに限定されるものではない。例えば、前記芯線をグランド用コンタクト２２０ａ、２２０ｂに直接半田接続することができる。また、ケーブルｃの芯線が上側グランド用導体３２２、下側グランド用導体３３２、グランド用コンタクト２２０ａ、２２０ｂに半田接続されていなくても良い。【０１０９】
更に、本発明は、導電部材、多層基板がハウジングの挿入孔に挿入されているものも含むものである。換言すると、ハウジングを成型する際に導電部材、多層基板をインサート成型等により埋設するようにしても良い。この場合であっても、導電部材、多層基板をグランド用コンタクトに接触させるだけで簡単にグランド接続することができる。また、前記導電部材はリード結線補助部材に取り付けられている必要はなく、別体とすることが可能である。【０１１０】
また、コンタクト群が３列以上ある場合には、導電部材３０、多層基板３００を２以上設け、各列のコンタクト群の間に配置するようにすれば良い。【０１１１】
上記実施例１及び２では、上記信号用コンタクトは、後端部が直接的又は間接的にリードの芯線に半田接続されるとしたが、これに限定されるものではない。後述するように、電気コネクタが、ケーブルが接続されるタイプ以外のプラグ側コネクタやレセプタクル型コネクタである場合には、コンタクトの後端部を電子機器等の基板の導体等の接続対象に接続するようにすれば良い。また、グランド用コンタクトは第１、第２のコンタクト群に少なくとも一本含まれていれば良い。なお、上記コンタクトは、後端部以外の部分をケーブルや多層基板の導体に接続される接続部として用いることも可能である。【０１１２】
リード結線補助部材４０については、第１、第２のコンタクト群の信号用コンタクトの後端部とリードの先端部から取り出された芯線とを各々半田付けのために支持する第１、第２の支持台と、この第１、第２の支持台の後端側に前記第１、第２のコンタクト群の信号用コンタクトと同一ピッチ間隔で形成され且つ当該リードの先端部を各々挿入して仮止めする複数の第１、第２のリード挿入溝とを有する構成である限り、任意に設計変更することが可能である。なお、リード結線補助部材４０は、省略することが可能であり、特に電気コネクタが後述するケーブルが接続されるタイプではないプラグ側コネクタやレセプタクル型コネクタである場合には不要である。【０１１３】
第１、第２のリード挿入溝４２１ａ、４２１ｂの形状についてはリードが挿入され位置決め可能なものである限り任意に設計変更することが可能である。第１、第２のガイド溝４３１ａ、４３１ｂの形状も同様である。なお、第１、第２のガイド溝４３１ａ、４３１ｂは省略することが可能である。【０１１４】
係止凸部４１１１は、前記リード結線補助部材がガイド手段に案内され、前記ハウジングの後端部に取り付けられた状態で、当該リード結線補助部材を係止する第２の係止手段であるとしたが、これに限定されるものではない。例えば、ガイド板１４のガイド凸部１４ａに係止凸部を設けても良いし、ガイド凸部１４ａ及びリード結線補助部材４０のガイド凹部４１１の双方に設けるようにしても良い。なお、ガイド手段及びリード結線補助部材のガイド凸部１４ａ及びガイド凹部４１１以外の部分に前記第２の係止手段を設けることも可能である。また、リード結線補助部材４０は、ハウジング１０の後端部に一体的に設けることも可能である。当該第２の係止手段は係止凸部と係止凹部を組み合わせたもの等その他の周知の係止手段を採用することが可能である。【０１１５】
ブロック４００については省略することが可能である。【０１１６】
なお、本発明に係る電気コネクタは、各構成部品の種類、形状、材質及びピン数等については上記実施形態に限定されない。また、前記電気コネクタは、ディスプレイポート等のプラグ側コネクタに限定されるものではなく、ケーブルが接続されるタイプではないプラグ側コネクタやレセプタクル型コネクタについても同様に適用可能である。ケーブルｃはバルクケーブルに限定されるものではなく、その他同様のケーブルが接続可能である。
【符号の説明】
【０１１７】
１０  ハウジング
２０ａ  第１のコンタクト群
２１ａ  信号用コンタクト
２２ａ  グランド用コンタクト
２０ｂ  第２のコンタクト群
２１ｂ  信号用コンタクト
２２ｂ  グランド用コンタクト
３０  導電部材
３１ａ、３１ｂ  切り上げ片（接地部）
３２  係止凸部（第１の係止手段）
４０  リード結線補助部材
４１１１  係止凸部（第２の係止手段）
５０  シールドカバー
６０  ケース
７０  ロック端子
１００  ハウジング
２００ａ  第１のコンタクト群
２１０ａ  信号用コンタクト
２２０ａ  グランド用コンタクト
２００ｂ  第２のコンタクト群
２１０ｂ  信号用コンタクト
２２０ｂ  グランド用コンタクト
３００  多層基板
３１０  ベタ導体層
３２１  上側信号用導体
３２２  上側グランド用導体
３３１  下側信号用導体
３３２  下側グランド用導体
３４０  スルーホール（ビアホール）
４００  ブロック
５００  シールドカバー
６００  ケース
７００  ブッシュ
ｃ  ケーブル
ｃ１  リード
ｃ１１  芯線
Ｒ  レセプタクル側コネクタ
Ｒ’  レセプタクル側コネクタ
【図１】
2009147791.tif 000003
【図２】
2009147791.tif 000004
【図３】
2009147791.tif 000005
【図４】
2009147791.tif 000006
【図５】
2009147791.tif 000007
【図６】
2009147791.tif 000008
【図７】
2009147791.tif 000009
【図８】
2009147791.tif 000010
【図９】
2009147791.tif 000011
【図１０】
2009147791.tif 000012
【図１１】
2009147791.tif 000013
【図１２】
2009147791.tif 000014
【図１３】
2009147791.tif 000015
【図１４】
2009147791.tif 000016
【図１５】
2009147791.tif 000017
【国際調査報告】
2009147791.tif 000018
2009147791.tif 000019
2009147791.tif 000020
2009147791.tif 000021